(57)【要約】【課題】すべての可動部分を装置の外側に配置し、最小限度の部品構成によりスクリーンの目詰まりを防止し、網目のより細かいスクリーン利用を実現する。【解決手段】スクリーン１２０に原水を流下させ、固形分を前記スクリーン１２０で分離した後、ハウジング１０１内の処理液を、排出ポンプ１３０にて外部へ強制排水する。前記ハウジング１０１の背面から空気を振動させる空気振動装置を設ける。前記ハウジング１０１には陰圧を緩衝する通気孔を設ける。【選択図】図２
2007000852.tif 000002
【特許請求の範囲】
【請求項１】
スクリーンに原水を流下させ、前記スクリーンで固形物を分離回収し、脱水液を排水する傾斜スクリーン装置において、前記傾斜スクリーン装置の排水側のハウジングが減圧状態を形成するよう処理液を吸引排出する手段を設けたことを特徴とする傾斜スクリーン装置。
【請求項２】
前記ハウジングの減圧状態の平衡を断続的に増幅、及びキャンセルする空気振動発生機構を備えたことを特徴とした請求項１に記載の傾斜スクリーン装置。
【請求項３】
前記ハウジングは、前記スクリーン以外に外気を吸入又は排気を許容する弾性材質による換気手段を備えたことを特徴とする請求項１、２に記載の傾斜スクリーン装置。
【請求項４】
原水から固形物を回収する前記スクリーンの前記ハウジング内部を減圧して、空気振動を発生させることを特徴とする目詰まり防止方法。
【発明の詳細な説明】
【技術分野】
【０００１】本発明は、畜産排水及び異物混合水など細粒固形物を含む原水を固液分離するための傾斜スクリーン装置及び目詰まり防止方法に関するものである。
【背景技術】
【０００２】一般に、傾斜スクリーンは所定の傾斜角度をもつスクリーン面の最上部から原水を流下させ、固形物と液体とをスクリーンの網目によってふるい分けする装置である。固形物はスクリーン表面で捕捉されて落下し、水分はスクリーンを通過して落滴する。重力落下を応用したこれらの処理工程は網目が細かいと原水が目詰まりしスクリーンを通過せず、傾斜スクリーン上を被処理液全体が流下し、固液は分離されない。そのため、一般的な傾斜スクリーンは網目が比較的粗く幅広のものが使われ、細粒固形物を含む処理液は分離されることなく排水されている。【０００３】改良された装置として、特開平６−３３９６０３公報には、排水側に密閉したハウジングをもつ傾斜スクリーンを二分にして中間にダイヤフラムを配備し、二室を交互に吸引、吐出し、スクリーン面の目詰まりを除去しながら固液を分離する装置が開示されている。【０００４】特開２００３−１９０８８９公報には、スクリーン裏面に回転ブラシを装備し、目詰まりを防除する装置が開示されている。
【発明の開示】
【発明が解決しようとする課題】しかしながら、前記０００３、０００４いずれの改良方法も構造が複雑で、かつ可動部分が常に処理液に曝されメンテナンスに問題がある。【０００５】そこで、本発明は可動部分をすべて装置の外側に配置し、最小限度の部品構成によりスクリーンの目詰まりを防止し、スクリーン網目のより細かい固液分離装置を提供することを課題とする。
【課題を解決するための手段】この課題を解決するために、本発明はスクリーンに原水を流下させ、前記スクリーンで固形物を分離回収し、脱水液を排水する傾斜スクリーン装置において、前記傾斜スクリーン装置の排水側のハウジングが減圧状態を形成するよう処理液を吸引排出する手段を設けたものである。【０００６】この構成により、前記スクリーンに原水を供給したとき、前記ハウジング内に集積された処理液が強制的に排出されることにより内部が陰圧状態となり、前記スクリーン外側と内側に気圧差が発現し、原水が前記スクリーン内側へ吸引され固液の分離が促進される。【０００７】前記ハウジングの減圧状態の平衡を断続的に増幅、及びキャンセルする空気振動発生機構を備えると、固液の分離効率がより一層高まり、目詰まりを防止できる点で優れている。【０００８】前記ハウジングは、前記スクリーン以外に外気を吸入又は排気を許容する弾性材質による換気手段を備えることが好ましい。【０００９】原水から固形物を回収する前記スクリーンの前記ハウジング内部を減圧して、空気振動を発生させることが好ましい。
【発明を実施するための最良の形態】
【００１０】以下、本発明に係わる実施形態を添付図面に沿って説明する。【００１１】図１は実施形態に係わる傾斜スクリーン装置の概略構造を示すものである。図２は第１実施形態に係わる傾斜スクリーン装置を示す。図３は第２実施形態の傾斜スクリーン装置を示す。前記図１、図２、図３の構成と同一部分については共通の同一符号を付してその説明を省略する。【００１２】傾斜スクリーン装置１００は正面にスクリーン１２０を備え、固液混合の被処理液が原水供給管１２４から供給され、原水中継槽１０２、整流板１１４を経て、スクリーン１２０面を流下する。【００１３】傾斜スクリーン装置１００のハウジング１０１はステンレス又は樹脂で形成され、ハウジング側面１１６上部には通気孔１０４を配置し、外気の流通を制限付きで許容する。ハウジング背面１０６にはダイヤフラム１０８が接続され、振動装置１２６と連動する。ハウジング底面には排水口１１２を設置し、排水中継管１２７へ接続し、さらに排出ポンプ１３０へと接続される。なお排水口１１２はハウジング底面中央に限らず底面いずれの位置でも設置できる。スクリーン１２０はステンレスからなり主にウェッジワイヤー又はワイヤーメッシュ、複数の開口をもつスクリーンなどで、流下する原水中の固形物の通過を阻止する。スクリーン１２０の開口部形状がスリットの場合は被処理液に含まれる固形物サイズと濃度に合わせスリット幅を０．０５ｍｍから１．５ｍｍの範囲で選択する。その他の開口部形状の場合でもそれぞれの開口部直径を０．０５ｍｍから１．５ｍｍの範囲で選ぶ。【００１４】図１の通気孔１０４の接続部開口径は約２０ｍｍから２００ｍｍとし、通気弁としてシートゴムなど弾力性のある材質の中心部に直径２．５ｍｍ以上のオープニングを空けた、エヤーベントを通気孔開口部へ取り付ける。エヤーベントのオープニングのサイズは、スクリーン１２０面を流下する被処理液の固形物濃度と処理液の排出量によって変更できる。【００１５】図１，２，３のオープニング１０８へダイヤフラムを装着し、さらに振動装置１２６を接続する。ダイヤフラムは合成樹脂材、ゴム、金属、布地又は前記材質の複合などを用いることができる。前記振動装置１２６はモーター回転式、電磁式又はエアー式などの振動装置を利用することができ、振幅幅は大きいほど吸引力は高まる。前記振動装置は任意の方式から選ぶことができ、適切な吸引効果の設定は、分当たりの振動回数との組み合わせにより調整することが可能である。【００１６】図１のオープニング１１２はスクリーンを通過した処理水の排水口である。図２の排出ポンプ１３０を排水中継管１２７へ接続し、集積した処理水を配水管１２８から排出し、所定の排水場所へ送る。【００１７】次に、前記傾斜スクリーン装置の動作について説明する。【００１８】図２は第１実施形態に係わる傾斜スクリーン装置を示す。原水供給管１２４から流入した被処理液は原水中継槽１０２を満たし、次に整流板１１４を乗り越えスクリーン１２０上を流下する。【００１９】被処理液はスクリーン１２０面下方向へ流下する際、スリット幅より小さな液状物質又は固形物はスリットを通過してハウジング１０１内部へ落滴する。落滴した分離液はハウジング底部排水口１１２から外部へ排出される。【００２０】本装置では被処理液が流下を始めると、スクリーン１２０を通過した排水液が排水口１１２へ到達し、排出ポンプ１３０によって強制排出される。この排水手段によってハウジング内に陰圧が形成される。この気圧差はスクリーン１２０面に吸引効果を生み、液体はハウジング内へと速やかに吸入され、固形物はスクリーン１２０表面に残り、傾斜部下方へ落下する。【００２１】前記ハウジング１０１内陰圧を一定に保つため、通気孔１０４が機能する。通気孔の空気流通量を決めるオープニングサイズを選ぶことで、ハウジング内部の陰圧均衡を適正に保つことができる。また一時的な負荷圧力がハウジング１０１内に発生した場合に弾力性のあるシートゴムなどの通気孔材質を使えば、内圧変動のさらなる緩衝が可能となる。【００２２】上記のように陰圧調整が適正に行われても、前記ハウジング内が陰圧に保たれると、粘着性の被処理液はスクリーン１２０面へ付着して目詰まりを起こし易く、後続の被処理液の通過を妨げる要因となる。【００２３】図２の第１実施形態はダイヤフラム１０８が振動装置１２６により、ハウジング１０１の外側方向へシフトして空気を吸引した状態を示すものである。ダイヤフラムの振動回数は毎分１００〜３０００回が適当であるが、ダイヤフラムがハウジングの外方向へシフトするとハウジング１０１内の陰圧が排出ポンプによる吸引と重なって増幅され、スクリーン１２０面の吸引力を増し、被処理液の水分吸引効果が増大する。【００２４】第２実施形態では、図３のようにダイヤフラム１０８が反対方向、つまりハウジング内部へシフトすると、ハウジング内の陰圧は瞬時にキャンセルされ、吸引力を失ったスクリーン１２０上の被処理液は一時的にスクリーン表面をスライドし、付着、休止した固形物をスクリーン１２０面の落下方向へと押し流す。【００２５】このようにダイヤフラム１０８の反復作動によって起こる、上記第１及び第２実施形態の繰り返し動作は、スクリーン１２０表面上の分離物を落下方向へと移動させると同時に流下原水液の効率的な水分吸引作用を交互に反復することを可能とする。【００２６】前述第１、及び第２の実施形態の一連の作用を簡単にまとめると、先ず原水がスクリーン１２０面を流下開始すると、前記スクリーン１２０を通過した排水液がハウジング１０１内から強制排出され、内部が陰圧状態となる。ハウジング１０１内部陰圧は通気孔１０４によってバランスされる。振動装置１２６とダイヤフラム１０８により、ハウジング１０１内に発生する空気振動が流下する原水の水分吸引と固形物落下作用を促進し、目詰まりのない効率的な固液分離を可能とするものである。
【発明の効果】
【００２７】以上の説明から明らかなように、本発明によればハウジング１０１に適正な吸引作用と空気振動の機構を加えたので、原水からの固液分離効率が高まり、かつスクリーンの目詰まりを防止することができる。可動部分はすべてハウジングの外側なのでメンテナンスがし易い。加えて、従来傾斜スクリーンでは利用が困難であった網目の細かいスクリーンの使用が可能となった。
【図面の簡単な説明】
【００２８】
【図１】実施形態に係わる傾斜スクリーン装置の概略構造と前方斜視図である。
【図２】第１実施形態に係わる傾斜スクリーンの陰圧増幅時の側面図である。
【図３】第２実施形態に係わる傾斜スクリーンの陰圧キャンセル時の側面図である。
【符号の説明】
【００２９】１００・・・傾斜スクリーン装置
１０１・・・ハウジング
１０２・・・原水中継槽
１０４・・・通気孔
１０６・・・ハウジング背面
１０８・・・ダイヤフラム
１１０・・・ハウジング底面
１１２・・・排水口
１１４・・・整流板
１１６・・・ハウジング側面
１１８・・・スクリーン縁板
１２０・・・スクリーン
１２２・・・ハウジング前面
１２４・・・原水供給管
１２６・・・振動装置
１２７・・・排水中継管
１２８・・・排水管
１３０・・・排出ポンプ
【図１】
2007000852.tif 000003
【図２】
2007000852.tif 000004
【図３】
2007000852.tif 000005